(57)【特許請求の範囲】
【請求項１】
底壁とその各辺を囲む側壁とで構成されたコンテナにおいて、各側壁のうち少なくとも一部の側壁を中空二重壁構造としてその外壁に手掛け凹部を形成するとともに、手掛け凹部の開口側上縁に下向きの突起部を形成し、手掛け凹部の上面に対応して内壁側には内壁を凹ませて前記突起部と近接対応して外壁と溶着一体化した補強リブを形成して把持部としたことを特徴とする把持部を有するコンテナ。
【請求項２】
手掛け凹部の下面が下向きの傾斜面を成しており、突起部の外壁面に対する傾斜角は、手掛け凹部の下面の側壁の外壁面に対する傾斜角と等しいかそれより大であることを特徴とする請求項１記載の把持部を有するコンテナ。
【発明の詳細な説明】
【０００１】
【発明の属する技術分野】
本発明は、底壁とその各辺を囲む側壁とで構成された把持部を有するコンテナに関するものである。
【０００２】
【従来の技術】
従来、底壁とその各辺を囲む側壁とで構成されたプラスチック製のコンテナであって、対向する側壁に、手掛け凹部から成る把持部を設けたものは、特開平１０−４５１２７号公報に記載されている。そして、この種のコンテナにおいて、手掛け凹部から成る把持部は、中空二重壁構造の側壁の外壁に、上面が上向きにかつ下面が下向きに傾斜して開口方向に広がった形状に形成されている。
【０００３】
【発明が解決しようとする課題】
この種のコンテナにおいて、中空二重壁構造の側壁に形成される把持部を上述のように開口方向に広がった形状に形成する理由は、ブロー成形時に成形品の型抜きに支障をきたさないためであるが、手掛け凹部から成る把持部において、殊にその上面が上向きに傾斜していると、手掛け凹部に対する手の掛かりが悪く滑り易いので、コンテナを安定的かつ安全に持ち運ぶという把持部本来の機能が損なわれる。
【０００４】
そこで、本発明の目的は、手掛け凹部から成る把持部においてその上面が上向きに傾斜していても、手掛け凹部に対する手の掛かりが良くて滑り難く、さらに手掛け凹部の把持状態における強度および剛性が大であり、コンテナを安定的かつ安全に持ち運ぶという把持部本来の機能面ですぐれた把持部を有するコンテナを提供することにある。
【０００５】
【課題を解決するための手段】
上記目的を達成するための本発明の請求項１に係る把持部を有するコンテナは、底壁とその各辺を囲む側壁とで構成されたコンテナにおいて、各側壁のうち少なくとも一部の側壁を中空二重壁構造としてその外壁に手掛け凹部を形成するとともに、手掛け凹部の開口側上縁に下向きの突起部を形成して把持部としたことを特徴とするものである。
【０００６】
本発明の請求項２に係る把持部を有するコンテナは、請求項１の構成において、手掛け凹部の下面が下向きの傾斜面を成しており、突起部の外壁面に対する傾斜角は、手掛け凹部の下面の側壁の外壁面に対する傾斜角と等しいかそれより大であることを特徴とするものである。
【０００７】
本発明に係る把持部を有するコンテナおいては、手掛け凹部の上面に対応して内壁側に補強リブを形成してあるものである。
【０００８】
そして、その補強リブは、内壁を凹ませて外壁と溶着一体化して形成されており、その溶着一体化部位が突起部と近接対応しているものである。
【０００９】
【発明の実施の形態】
図面には本発明の一実施の形態として組立式の把持部を有するコンテナを例示している。図１はコンテナの全体斜視図、図２はその展開斜視図、図３は図１のＡ−Ａ線拡大断面図、図４はコンテナのブロー成形態様を示す一部の断面図、図５はブロー成形後の離型態様を示す一部の断面図である。
【００１０】
本発明に係る把持部を有するコンテナは、底壁１と、その各辺にそれぞれ側壁２ａ，２ｂ，２ｃ，２ｄを折り曲げ自在の薄肉板状のヒンジ３により連結して、底壁１に対して展開自在の側壁２ａ，２ｂ，２ｃ，２ｄとで構成されており、起立させた互いに隣接する側壁２ａ，２ｂ，２ｃ，２ｄは、係合構造（図示省略）により係合固定して、箱状のコンテナとするものである。４は把手部である。
【００１１】
本発明に係る把持部を有するコンテナにおいて、底壁１および各側壁２ａ，２ｂ，２ｃ，２ｄは、熱可塑性樹脂をブロー成形してなる中空二重壁構造のものであり、底壁１の各辺に側壁２ａ，２ｂ，２ｃ，２ｄを連結するヒンジ３はブロー成形時にパリソンを圧縮して薄肉化することにより形成される。
【００１２】
前記把持部４は、左右の互いに対向する側壁２ａ，２ｂに設けられている。側壁２ａ，２ｂに設けた把持部４は、互いに対称となるだけで同構成であるから、以下、側壁２ａの把持部４についてのみ説明する。すなわち、中空二重壁構造を成す側壁２ａの外壁５には、手掛け凹部６が形成され、この手掛け凹部６を把持部４としている。手掛け凹部６は、その上面７と下面８が開口方向にそれぞれ広がる傾斜面をなしており、上面７は上向きに、かつ下面８は下向きに傾斜している。そして、手掛け凹部６の開口側上縁には下向きの突起部９が形成されている。
【００１３】
上記のように、手掛け凹部６の下面８は下向きの傾斜面を成しており、突起部９の側壁２ａの外壁５面に対する傾斜角αと、手掛け凹部６の下面８の側壁２ａの外壁５面に対する傾斜角βとはα≧βである。
【００１４】
手掛け凹部６の上面７に対応して側壁２ａの内壁１０側には補強リブ１１が形成されている。この補強リブ１１は、内壁１０を凹ませて外壁５と溶着一体化して形成されており、その溶着一体化部位１２は前記突起部９と近接対応していて、把持部４を形成する手掛け凹部６の上面７側の開口部の強度向上を図っている。
【００１５】
本発明に係る把持部を有するコンテナにおいては、把持部４を成す手掛け凹部６の上面７が上向きに傾斜していても、その開口端縁には突起部９を形成しているので、手掛け凹部６に対する手の掛かりが良くて滑り難く、コンテナを安定的かつ安全に持ち運ぶという把持部本来の機能面ですぐれたものである。そして、把持部４を成す手掛け凹部６の上面に対応して内壁１０側に補強リブ１１を形成しており、さらに、補強リブ１１の内壁１０を凹ませた外壁５と溶着一体化部位１２が突起部９と近接対応しているので、手掛け凹部６の把持状態における強度および剛性が大であり、把持部本来の機能がいっそう優れたものとなる。
【００１６】
本発明に係る把持部を有するコンテナは、ブロー成形によって底壁１および各側壁２ａ，２ｂ，２ｃ，２ｄを図２に示すように展開状に形成し、それを図１に示すように組み立てるものである。そして、手掛け凹部６から成る把持部４は、図４および図５に示すように成形される。
【００１７】
図４および図５において、１３，１４は一対の分割金型、１５は摺動金型であって、摺動金型１５は一方の金型１３に組み込まれていて、手掛け凹部６から成る把持部４を成形するためのものである。
【００１８】
一対の分割金型１３，１４間にパリソン（図示せず）を配置し、一対の分割金型１３，１４を締め、パリソン内に圧力流体を導入してブロー成形する。このとき、図４に示すように、ブロー成形された中空二重壁構造の側壁２ａには、一方の金型１３のキャビティに進出している摺動金型１５によって手掛け凹部６、突起部９が形成される。また、他方の金型１４のリブ形成キャビティ１６により補強リブ１１が形成される。そして、この補強リブ１１は、手掛け凹部６の上面７に対応しており、かつその溶着一体化部位１２は、突起部９と近接対応している。この溶着一体化部位１２は、一方の金型１３あるいは摺動金型１５に対してリブ形成キャビティ１６によりパリソンが圧縮される結果、パリソンは突起部９に送り込まれることになる。
【００１９】
図４に示すブロー成形後は、先ず摺動金型１５を後退させたうえ、一対の金型１３，１４を開き、展開状のコンテナを取り出す。この工程において、摺動金型１５は、手掛け凹部６の下面８の傾斜方向に沿って後退させるが、突起部９の側壁２ａの外壁５面に対する傾斜角αと、手掛け凹部６の下面８の側壁２ａの外壁５面に対する傾斜角βとはα≧βであるから、摺動金型１５の後退にあたって突起部９が離型の妨げになることはない。
【００２０】
本発明は、以上図示した実施の形態に限定されるものではなく、請求項に記載した技術的範囲を逸脱しない範囲で種々の実施の態様とすることができる。例えば、底板および把持部を設けない側壁は中空二重壁構造でなく、所要厚の単壁構造であってもよいことは勿論である。
【００２１】
【発明の効果】
本発明によれば、手掛け凹部から成る把持部においてその上面が上向きに傾斜していても、手掛け凹部に対する手の掛かりが良くて滑り難く、さらに手掛け凹部の把持状態における強度および剛性が大であり、コンテナを安定的かつ安全に持ち運ぶという把持部本来の機能面ですぐれた把持部を有するコンテナを提供することができる。
【図面の簡単な説明】
【図１】本発明の一実施の形態に係る把持部を有するコンテナの全体斜視図である。
【図２】本発明の一実施の形態に係る把持部を有するコンテナの展開斜視図である。
【図３】図１のＡ−Ａ線拡大断面図である。
【図４】本発明に係る把持部を有するコンテナのブロー成形態様を示す一部の断面図である。
【図５】ブロー成形後の離型態様を示す一部の断面図である。
【符号の説明】
１  底壁
２ａ，２ｂ，２ｃ，２ｄ  側壁
３  ヒンジ
４  把持部
５  側壁２ａの外壁
６  手掛け凹部
７  手掛け凹部６の上面
８  手掛け凹部６の下面
９  突起部
１０  壁２ａの内壁
１１  補強リブ
１２  溶着一体化部位
１３，１４  一対の分割金型
１５  摺動金型
１６  リブ形成キャビティ
【図１】
0004108834.tif 000002
【図２】
0004108834.tif 000003
【図３】
0004108834.tif 000004
【図４】
0004108834.tif 000005
【図５】
0004108834.tif 000006